(57)【要約】【課題】通水性を改善するようにした分別用キャップを提供する。【解決手段】互いに異なる材質で形成された外装体３および外装体３内部に装着される内部枠体４と、これら外装体３と内部枠体４とを接着する水溶性接着剤層Ｌと、内部枠体４に形成され、水溶性接着剤層Ｌに向かって水を流入させる通水孔１３と、通水孔１３を開閉するために、内部枠体４に対して接離自在に設けられた開閉部材１７と、開閉部材１７を通水孔１３が開く向きへ付勢するＯリング２３とを有するキャップ２において、開閉部材１７には、通水孔１３を挟んで一方にＯリング２３を配置し、他方に内部枠体４に対し接離する接離部２１を形成した。【選択図】　　　　　図３
2004051124.tif 000002
【特許請求の範囲】
【請求項１】
互いに異なる材質で形成された外装体および該外装体内部に装着される内部枠体と、これら外装体と内部枠体とを接着する水溶性接着剤層と、上記内部枠体に形成され、上記水溶性接着剤層に向かって水を流入させる通水孔と、該通水孔を開閉するために、上記内部枠体に対して接離自在に設けられた開閉部材と、該開閉部材を上記通水孔が開く向きへ付勢する付勢部材とを有するキャップにおいて、上記開閉部材には、上記通水孔を挟んで一方に上記付勢部材を配置し、他方に上記内部枠体に対し接離する接離部を形成したことを特徴とする分別用キャップ。
【発明の詳細な説明】
【０００１】
【発明の属する技術分野】
本発明は、通水性を改善するようにした分別用キャップに関する。
【０００２】
【従来の技術】
外装体とその内部に装着される内部枠体とが異なる材質、例えば外装体が金属製とされ、内部枠体が合成樹脂製とされたキャップについて、これを外装体と内部枠体とに分離できるようにして分別収集可能としたものが、特開２０００−１５３８６９に開示されている。
【０００３】
このキャップはおおよそ、異なる材質で形成した外装体としての外装枠および内部枠体としての内装枠を水溶性接着剤で固定し、内装枠の一部に開口した通水孔としての開口部から水溶性接着剤に至る通水路を形成するとともに、キャップを容器本体に装着した際に通水路を閉鎖し、キャップを容器本体から取り外した際に通水路を開放する開閉部材としての弁部材を内装枠の開口部周辺に設けて構成され、廃棄時に容器本体からキャップを取り外せば自動的に開口部が開いて通水路を開放でき、その後キャップを水に漬けるだけで水溶性接着剤が溶解して、外装枠と内装枠とを分離することができるようになっていた。
【０００４】
【発明が解決しようとする課題】
ところで、上記従来のキャップにあっては、通水路の通水性を改善する余地があるという課題があった。詳細に説明すると、従来構造のキャップは、内装枠に窓を形成し、この窓に軸部を昇降自在に挿入して、その昇降に従って円盤部が内装枠に対して接近しあるいは離隔する、弁部材の主体となる昇降部材を設け、開口部は、軸部に設けた凹部と窓の隙間として形成し、この開口部の外側を取り囲む配置で円盤部もしくは内装枠のいずれか一方、例えば円盤部に、昇降部材の昇降動作で内装枠に接離してこれにより開口部を開閉する接離部としてのＯリング部を設け、さらに、凹部を有する放射状に形成し、Ｏリング部よりも外側となる円盤部と内装枠の隙間に取り付けて、昇降部材を内装枠から離れる方向、すなわち開口部を開く方向へ円盤部を付勢する付勢部材としての板バネ部を設けていた。
【０００５】
すなわち、開口部が最も内側に位置し、この開口部の外側にＯリング部を配置し、このＯリング部のさらに外側に板バネ部を配置していて、特に、キャップを水に漬けたときに、水が最初に流入してくる一番外側の内装枠と円盤部との隙間に板バネ部を設けていた関係上、この板バネ部によって当該隙間が部分的ではあっても、塞がれることとなっていて、通水性が阻害されていた。
【０００６】
本発明は上記従来の課題に鑑みて創案されたものであって、通水性を改善するようにした分別用キャップを提供することを目的とする。
【０００７】
【課題を解決するための手段】
本発明にかかる分別用キャップは、互いに異なる材質で形成された外装体および該外装体内部に装着される内部枠体と、これら外装体と内部枠体とを接着する水溶性接着剤層と、上記内部枠体に形成され、上記水溶性接着剤層に向かって水を流入させる通水孔と、該通水孔を開閉するために、上記内部枠体に対して接離自在に設けられた開閉部材と、該開閉部材を上記通水孔が開く向きへ付勢する付勢部材とを有するキャップにおいて、上記開閉部材には、上記通水孔を挟んで一方に上記付勢部材を配置し、他方に上記内部枠体に対し接離する接離部を形成したことを特徴とする。これにより、通水性の改善を期待することができる。
【０００８】
【発明の実施の形態】
以下に、本発明にかかる分別用キャップの好適な一実施形態を、添付図面を参照して詳細に説明する。ボトル容器などの容器本体１を開閉するための分別用キャップ２は図１〜図４に示すように、ドーム状の薄肉殻で形成されて外観をなす外装体３と、外装体３の内部に装着され、分別用キャップ２を容器本体１に対し取り付け取り外し可能とするために、当該容器本体１に係脱自在に係合する内部枠体４とから主に構成される。これら外装体３と内部枠体４とは、分別して収集すべき互いに異なる材質、例えば外装体３はアルミなどの金属製、内部枠体４は合成樹脂製で形成される。そしてこれら外装体３と内部枠体４との間には後述するように、これらを互いに接着するための水溶性接着剤層Ｌが形成され、この水溶性接着剤層Ｌによって両者が接合されるようになっている。水溶性接着剤は水に浸すことにより溶解されて、接着作用が失われる性質を有するものである。
【０００９】
内部枠体４は図２〜図４に示すように、容器本体１の首部５周囲を取り囲むように形成された円筒部６と、円筒部６の内周面に形成され、首部５周囲のネジ部７に螺合されるネジ条８と、円筒部６上端に形成され、その開口を封鎖する天井部９と、天井部９の中央に貫通形成されたスライド用穴１０と、天井部９上にスライド用穴１０を取り囲んで形成され、外装体３の頂部内面に当接される筒部１１と、天井部９上であってかつ筒部１１から径方向外方に相当の距離を隔てた位置に環状の配列で、具体的には筒部１１の周りに天井部９の周方向に沿って互いに間隔を隔てて形成され、外装体３の頂部側内面に当接される複数のリブ１２と、これらリブ１２と筒部１１との間の天井部９の環状領域Ｒに、当該天井部９の周方向に沿う環状の配列で互いに所望の間隔を隔てて貫通形成され、天井部９上に円筒部６内を連通させて、円筒部６から内部枠体４と外装体３との間の空間部Ｓへと水を流入させるための複数の通水孔１３と、天井部９下であってかつリブ１２直下に位置させて形成された環状シール突起１４と、円筒部６の下端周囲にこれより径方向外方へ拡張させて形成され、外装体３の底部開口縁の内面に重ね合わされるとともに、容器本体１の肩部１５を覆う環状スカート部１６とを一体的に備える。
【００１０】
そしてこの内部枠体４と外装体３とは、少なくとも筒部１１およびリブ１２の上端、並びに環状スカート部１６の周側面に水溶性接着剤を塗布して外装体３の内面に貼り付けることにより、これら内部枠体４と外装体３との間に形成される水溶性接着剤層Ｌによって互いに接着される。この水溶性接着剤層Ｌは、通水孔１３を介して上記空間部Ｓに流入してくる水にさらされる。
【００１１】
他方、内部枠体４には通水孔１３を開閉するために、内部枠体４に対して接離自在な開閉部材１７が設けられる。この開閉部材１７は、内部枠体４と同種の素材、例えば合成樹脂製で形成される。開閉部材１７は主に、内部枠体４の円筒部６内に昇降移動自在に配設されたディスク部１８と、このディスク部１８上に突設され、内部枠体４のスライド用穴１０内にスライド自在に挿入されるとともに、その上端に外向きに突設された係止突起１９によってスライド用穴１０周囲の天井部９に係脱自在に係止されるスライド筒部２０とを一体的に備える。そして開閉部材１７は、係止突起１９によって内部枠体４から垂下された状態で支持されるとともに、スライド筒部２０がスライド用穴１０に対してスライドされることにより、ディスク部１８が円筒部６内で昇降移動されるようになっている。
【００１２】
またディスク部１８は、その外径寸法が内部枠体４の環状シール突起１４の外径寸法よりも大きく形成され、これにより環状シール突起１４に下方から臨むその周縁部は、ディスク部１８がその昇降動作に従って内部枠体４、具体的には天井部９に向かって接近したり離隔されることに応じて、当該環状シール突起１４に接離されるようになっていて、ディスク部１８の当該周縁部によって内部枠体４に対する接離部２１が構成される。そして接離部２１が環状シール突起１４に当接されると、当該接離部２１もしくは環状シール突起１４よりも外側となる円筒部６側と内側となる通水孔１３側とが遮断されて通水孔１３が閉じられ、またこれら両者が離隔されると、円筒部６側と通水孔１３側とが連通されて通水孔１３が開かれるようになっている。
【００１３】
本実施形態にあっては、環状シール突起１４を内部枠体４に形成し、これに接離する接離部２１をディスク部１８の周縁部で構成したが、これらの配置を逆にしてもよいことはもちろんである。またディスク部１８の下面には、容器本体１内部を密封するために、分別用キャップ２を容器本体１に取り付けることで首部５上端に当接されるプレート状のパッキン２２が設けられる。
【００１４】
さらに、開閉部材１７と内部枠体４との間には、開閉部材１７を通水孔１３が開く向きに付勢する付勢部材が設けられる。本実施形態にあってはこの付勢部材として、弾性を有するゴム製などのＯリング２３が採用されている。このＯリング２３は、スライド筒部２０周りにディスク部１８から隆起させて形成された段部１８ａの周囲であって、かつ筒部１１のほぼ直下に設けられ、通水孔１３を挟んで接離部２１もしくは環状シール突起１４とは反対側に配置される。すなわち、本実施形態にあっては、通水孔１３を挟んで一方にＯリング２３が配置され、他方に環状シール突起１４と接離する接離部２１が位置する配置とされる。
【００１５】
このＯリング２３は、接離部２１を環状シール突起１４に圧接させて通水孔１３を閉じる際に、ディスク部１８が上昇されて内部枠体４に接近するに従って押し潰されるように変形され、他方、接離部２１を環状シール突起１４から離隔させて通水孔１３を開く際には、元の形態に復原しながら、ディスク部１８を下方へ押圧して内部枠体４から離隔させる。本実施形態にあっては、付勢部材としてＯリング２３を例示したが、開閉部材１７と内部枠体４との接近によって弾性反発力を発揮する復原性を備えるものであればよい。
【００１６】
以上のような分別用キャップ２を組み立てるにあたっては、開閉部材１７のディスク部１８を内部枠体４の円筒部６内に挿入しつつ、スライド筒部２０をスライド用穴１０内に押し込むことによって係止突起１９を筒部１１内に位置させて内部枠体４に開閉部材１７を組み込み、その後内部枠体４を水溶性接着剤で外装体３に接着して両者を接合すればよい。
【００１７】
以上説明した分別用キャップ２の作用について説明すると、図２に示すように内部枠体４のネジ条８を首部５のネジ部７に螺合させて、分別用キャップ２で容器本体１を閉じている状態では、ネジ部７へのネジ条８の締め込みによって首部５上端がパッキン２２を介して開閉部材１７のディスク部１８を押し上げていて、Ｏリング２３の押し潰しを伴って接離部２１が内部枠体４の環状シール突起１４と当接され、これにより通水孔１３は閉じられる。すなわち、容器本体１を分別用キャップ２で閉じているときには、内部枠体４と外装体３との間の空間部Ｓと円筒部６との連通が遮断され、これによって外気などの空間部Ｓへの流入が阻害される。
【００１８】
従って、容器本体１を分別用キャップ２で閉じた状態の通常時には、外気に含まれる湿気や、また誤って水に浸してしまったとしても、通水孔１３が塞がれているのでこれら湿気などが空間部Ｓに浸入することはなく、従って空間部Ｓにさらされている水溶性接着剤層Ｌの水溶性接着剤が溶解して、外装体３と内部枠体４とが分離してしまうことを防止することができる。
【００１９】
分別用キャップ２を容器本体１から取り外す際には、ネジ部７に対してネジ条８を緩めることでＯリング２３が徐々に元の形態に復原していき、これにより図３に示すように開閉部材１７が内部枠体４に対して自動的に下降して、環状シール突起１４からディスク部１８の接離部２１が離隔し、これにより通水孔１３が開かれる。この際、接離部２１の外側となるディスク部１８の外周縁と、環状シール突起１４の外側に位置してディスク部１８の昇降移動を許容する円筒部６内周との間には何らの障害物も存在せず、かつまた環状シール突起１４と接離部２１との間には、ディスク部１８全周にわたって連続する環状の隙間Ｖを形成することができる。また接離部２１もしくは環状シール突起１４の内側にあっても、Ｏリング２３よりも手前に位置する通水孔１３との間には何らの障害物も存在せず、かつまた通水孔１３は、リブ１２と筒部１１との間に相当の距離を隔てることによって確保した天井部９の環状領域Ｒに互いに所望の間隔で複数形成されている。
【００２０】
従ってこれら構成により、分別収集にあたって分別用キャップ２を水に漬けると、水は内部枠体４の円筒部６から環状シール突起１４と開閉部材１７の接離部２１との間の隙間Ｖに流れ込み、さらに筒部１１の直下に位置するＯリング２３の手前で、リブ１２と筒部１１との間の天井部９の環状領域Ｒに位置する多数の通水孔１３から空間部Ｓへと流入していくこととなり、通水性を改善できて十分な量の水を円滑かつ速やかに空間部Ｓ内へと導入することが可能となる。そして十分な量の水を導入することができることによって、水溶性接着剤層Ｌの水溶性接着剤を効率よく効果的に溶解させることができ、外装体３と内部枠体４とを手間取ることなく容易に分離して分別収集することができる。
【００２１】
他方、まだ使用中であって分別用キャップ２で再び容器本体１を閉じる場合には、分別用キャップ２を容器本体１に締め付けていけば、首部５によってディスク部１８が次第に押し上げられていって、Ｏリング２３の押し潰しを伴って接離部２１が内部枠体４の環状シール突起１４と当接し、これにより通水孔１３が閉じられる。使用中において分別用キャップ２を取り外すと、その間は通水孔１３が開かれた状態となるが、取り外している時間は通常それほど長くはないので、水溶性接着剤への影響はほとんど問題とならない。
【００２２】
以上説明したように本実施形態にかかる分別用キャップ２にあっては、通水孔１３を挟んで一方にＯリング２３を配置し、他方に接離部２１を形成したので、接離部２１が内部枠体４から離隔されることによって開放される通水孔１３への通水性を改善することができる。また本実施形態にあっては、環状シール突起１４もしくは接離部２１をリブ１２直下に配置したので、リブ１２が有する強度によって接離部２１と環状シール突起１４との圧接力を十分に支持させることができ、分別用キャップ２を容器本体１に装着した際のシール性能を高く保証することができる。また、筒部１１のほぼ直下にＯリング２３を配置したので、筒部１１が有する強度によってＯリング２３の弾性反発力を適切に支持することができ、Ｏリング２３を十分に変形させることができるとともに、またディスク部１８を押し下げる十分な反発力を生じさせることができる。
【００２３】
【発明の効果】
以上要するに、本発明にかかる分別用キャップにあっては、通水性を改善することができる。
【図面の簡単な説明】
【図１】本発明にかかる分別用キャップの好適な一実施形態を示す一部破断斜視図である。
【図２】図１の分別用キャップを容器本体に取り付けた状態の側断面図である。
【図３】図１の分別用キャップを容器本体から取り外した状態の側断面図である。
【図４】図１の分別用キャップに適用される内部枠体の平面図である。
【符号の説明】
２　分別用キャップ
３　外装体
４　内部枠体
１３　通水孔
１７　開閉部材
２３　Ｏリング
Ｌ　水溶性接着剤層
【図１】
2004051124.tif 000003
【図２】
2004051124.tif 000004
【図３】
2004051124.tif 000005
【図４】
2004051124.tif 000006